Podtech/llm-jp-corpus-v4-ja_patent huggingface dataset:
【手続補正書】
【提出日】平成19年6月13日(2007.6.13)
【手続補正１】
【補正対象書類名】明細書
【補正対象項目名】特許請求の範囲
【補正方法】変更
【補正の内容】
【特許請求の範囲】
【請求項１】  深穴ドリルのカッターヘッド上で座部に取り付けた支持パッド（１；１’）と案内バー（３；３’）を有するカッターヘッドであって、
前記支持パッド（１；１’）と案内バー（３；３’）は、長手方向（Ｌ）と交差方向（Ｔ）を有し、
前記支持パッド（１；１’）と案内バー（３；３’）は、取り付けられた状態で外に向いた側に、穴（１０）の壁と協同して働くように少なくとも一つの接触表面（５，７；５’、７’）を有し、
前記支持パッド（１；１’）と案内バー（３；３’）は、取り付けられた状態で外に向いた側に、少なくとも一つの皿取り部（９；９’）を有し、且つ
前記皿取り部（９；９’）は、前記支持パッド（１；１’）と案内バー（３；３’）の長手方向（Ｌ）に対して横方向に延在する支持パッド（１；１’）と案内バー（３；３’）を有するカッターヘッドにおいて、
前記皿取り部（９）は、前記支持パッド（１）と案内バー（３）の長手方向（Ｌ）と所定の角度（Ｂ）を成す延長部を有し、前記角度（Ｂ）が５５°±１０°であることを特徴とする支持パッド（１；１’）と案内バー（３；３’）を有するカッターヘッド。
【請求項２】  前記支持パッド（１；１’）と案内バー（３；３’）が、長手方向（Ｌ）に離間配置される端部の各々の領域に接触表面（５，７；５’、７’）を有し、前記接触表面（５，７；５’、７’）が凸であり、且つ前記皿取り部（９；９’）が前記接触表面（５，７；５’、７’）の間に位置することを特徴とする請求項１に記載の支持パッド（１；１’）と案内バー（３；３’）を有するカッターヘッド。
【請求項３】  前記皿取り部（９；９’）が平面によって画定されることを特徴とする請求項１または２に記載の支持パッド（１；１’）と案内バー（３；３’）を有するカッターヘッド。
【請求項４】  面取り部６，８が前記支持パッド（１；１’）と案内バー（３；３’）の短い辺の部分に配置されることを特徴とする請求項１〜３のいずれか１項に記載の支持パッド（１；１’）と案内バー（３；３’）を有するカッターヘッド。
【請求項５】  面取り部が、前記支持パッド（１；１’）と案内バー（３；３’）の短い辺に長い辺を結合するための領域にも配置されることを特徴とする請求項１〜４のいずれか１項に記載の支持パッド（１；１’）と案内バー（３；３’）を有するカッターヘッド。
【請求項６】  前記支持パッド（１）と案内バー（３）の中心の方に向いた前記接触表面（５，７）の境界線（２，４）が概して真っ直ぐであることを特徴とする請求項１〜５のいずれか１項に記載の支持パッド（１）と案内バー（３）を有するカッターヘッド。
【請求項７】  前記支持パッド（１’）と案内バー（３’）の中心の方に向いた前記接触表面（５’，７’）の境界線（２’，４’）が前記接触表面（５’，７’）に対して凸の曲率を有することを特徴とする請求項１〜５のいずれか１項に記載の支持パッド（１’）と案内バー（３’）を有するカッターヘッド。
【手続補正書】
【提出日】平成19年6月6日(2007.6.6)
【手続補正１】
【補正対象書類名】明細書
【補正対象項目名】特許請求の範囲
【補正方法】変更
【補正の内容】
【特許請求の範囲】
【請求項１】 イメージング・システムを利用して被検体の画像を再構成するための方法であって、 被検体内の関心領域（ＲＯＩ）の周囲は包含し被検体自体の周囲までは包含しないように選択されたファンビーム角度範囲を有する限定幅の放射線ビームを、被検体に向けて放出するステップと、 被検体を透過した前記限定幅の放射線ビームからの放射線を検出することにより、ＲＯＩの投影データを含む被検体の切り詰めた投影データの組を取得するステップと、 前記切り詰めた投影データの組のうちの低周波数成分を推定するステップと、 前記切り詰めた投影データの組及び前記推定した低周波数成分を利用して被検体内のＲＯＩの画像を再構成するステップと、を含む方法。
【請求項２】 前記限定幅の放射線ビームが限定幅のＸ線ビームであり、限定幅の放射線ビームを被検体に向けて放出する前記ステップがＸ線ビームを被検体に向けて放出するステップを含む、請求項１に記載の方法。
【請求項３】 前記方法は、さらに、限定幅のＸ線ビームと比べてより大きなファンビーム角度範囲を有する幅広Ｘ線ビームを被検体に向けて放出するステップと、前記幅広Ｘ線ビームからの放射線を検出することにより被検体の少なくとも１つの完全な投影を取得するステップとを含み、切り詰めた投影データの組のうちの低周波数成分を推定する前記ステップが被検体の前記少なくとも１つの完全な投影を利用して切り詰めた投影データの組のうちの低周波数成分を推定するステップを含む請求項２に記載の方法。
【請求項４】 前記イメージング・システムがスキャン式のイメージング・システムであり、かつ前記限定幅のＸ線ビーム及び前記幅広Ｘ線ビームは前記スキャン式イメージング・システムの回転するガントリ上に取り付けられたＸ線源により放出され、且つ画像の再構成に十分である切り詰めた投影と完全な投影の合計のうち、完全な投影が１０％以下である請求項３に記載の方法。
【請求項５】 前記イメージング・システムがスキャン式のイメージング・システムであり、前記幅広Ｘ線ビーム及び前記限定幅のＸ線ビームは前記スキャン式イメージング・システムの回転するガントリ上に取り付けられたＸ線源により放出されており、さらに、幅広Ｘ線ビーム及び限定幅のＸ線ビームを選択的に発生するためにマスクキング用スリーブをＸ線源の周りに回転するステップを含む請求項３に記載の方法。
【請求項６】 被検体の画像を再構成するためのイメージング・システムであって、 被検体内の関心領域（ＲＯＩ）の周囲を包含しているが被検体自体の周囲までは包含しないように選択されたファンビーム角度範囲を有する限定幅の放射線ビームを、被検体に向けて放出すること、 被検体を透過した前記限定幅の放射線ビームからの放射線を検出することにより、ＲＯＩの投影データを含む被検体の切り詰めた投影データの組を取得すること、 前記切り詰めた投影データの組のうちの低周波数成分を推定すること、 前記切り詰めた投影データの組及び前記推定した低周波数成分を利用して被検体内のＲＯＩの画像を再構成すること、を行うように構成されているイメージング・システム。
【請求項７】 前記限定幅の放射線ビームが限定幅のＸ線ビームであり、かつ被検体に向けて放出される前記限定幅の放射線ビームが前記限定幅のＸ線ビームである請求項６に記載のシステム。
【請求項８】 さらに、前記限定幅のＸ線ビームと比べてより大きなファンビーム角度範囲を有する幅広Ｘ線ビームを被検体に向けて放出し、かつ前記幅広Ｘ線ビームからの放射線を検出することにより被検体の少なくとも１つの完全な投影を取得するように構成されると共に、被検体の前記少なくとも１つの完全な投影を利用して切り詰めた投影データの前記組のうちの低周波数成分を推定するように構成されている請求項７に記載のシステム。
【請求項９】 回転するガントリと、前記回転するガントリ上に取り付けられたＸ線源とをさらに備え、 前記切り詰めた投影データ及び前記少なくとも１つの完全な投影を取得するために前記限定幅のＸ線ビーム及び前記幅広Ｘ線ビームを選択的に放出する前記Ｘ線源を用いて被検体をスキャンするように構成されており、かつ画像の再構成に十分である前記切り詰めた投影と前記完全な投影の合計のうち、完全な投影が１０％以下であるように構成されている請求項８に記載のシステム。
【請求項１０】 回転するガントリと、 前記回転するガントリ上に取り付けられたＸ線源であって、前記システムは前記切り詰めた投影データ及び前記少なくとも１つの完全な投影を取得するために該Ｘ線源を用いて被検体をスキャンするように構成されている、Ｘ線源と、 前記Ｘ線源を覆っているマスクキング用スリーブであって、前記Ｘ線源を選択的にマスキングし前記Ｘ線源が前記限定幅のＸ線ビーム及び前記幅広Ｘ線ビームを選択的に放出するようにしているマスクキング用スリーブと、をさらに備える請求項８に記載のシステム。
【手続補正書】
【提出日】平成19年6月12日(2007.6.12)
【手続補正１】
【補正対象書類名】明細書
【補正対象項目名】特許請求の範囲
【補正方法】変更
【補正の内容】
【特許請求の範囲】
【請求項１】  
ＰＧＡコンプレッションが８５以下のソリッドコアと；
前記コアを覆う多層カバーであって、前記多層カバーは前記コアの周りに配置される内側カバーと、前記内側カバーの周りに配置される中間カバーと前記中間カバーの周りに配置される外側カバーを含み、前記多層カバーは全体で３．６mm以上の厚さをもち、前記外側カバーは前記外側カバー上で測定するショアＤ硬度が６０以上である多層カバーを有し、
前記コアの反発係数とゴルフボールの反発係数の差が０．０２５以上であるゴルフボール。
【請求項２】
前記内側カバー、前記中間カバー及び前記外側カバーの各々はショアＤ硬度が６０〜８０の範囲である請求項１に記載のゴルフボール。
【請求項３】
ＰＧＡコンプレッションが８５以下のソリッドコアと；
前記コアを覆う多層カバーであって、前記多層カバーは前記コアの周りに配置される内側カバーと、前記内側カバーの周りに配置される中間カバーと前記中間カバーの周りに配置される外側カバーを含み、前記内側カバーはアイオノマーブレンドから成り、前記多層カバーは全体で３．６mm以上の厚さをもち、前記外側カバーは前記外側カバー上で測定するショアＤ硬度が６０以上である多層カバーを有し、
前記コアの反発係数とゴルフボールの反発係数の差が０．０２５以上であるゴルフボール。
【手続補正書】
【提出日】平成19年5月31日(2007.5.31)
【手続補正１】
【補正対象書類名】明細書
【補正対象項目名】特許請求の範囲
【補正方法】変更
【補正の内容】
【特許請求の範囲】
【請求項１】  傾斜部の表面を覆う滑降要素と、前記滑降要素を湿らせる水源とを有する、表面を有する傾斜部において人及び物を滑降させるための滑動コースにおいて、
前記滑降要素は、重畳して配置された複数のプール部を備え、前記プール部は水で充填されたミクロテラス（１０）を形成していることを特徴とする滑動コース。
【請求項２】  前記ミクロテラス（１０）を形成する前記プール部は、水密で前記傾斜部を覆うカバーシートで形成され、前記柔軟なリブ（２）が前記シートから突出し、各前記プール部は、前記カバーシート（５）及び前記リブ（２）とによって境界付けられ、かつ前記カバーシート（５）及び前記柔軟なリブ（２）に接合された柔軟な横断仕切りリブによって閉鎖されていることを特徴とする請求項１に記載の滑動コース。
【請求項３】  前記プール部を形成する前記リブ（２）の表面は、湿った状態では低い摩擦係数を有する材料でつくられていることを特徴とする請求項２に記載の滑動コース。  
【請求項４】  前記リブ（２）及び／又は前記カバーシートは前記カバーシートの下層のシートに留められていることを特徴とする請求項３に記載の滑動コース。
【請求項５】  前記下層のシート（６）は自己支持している強固な材料でつくられていることを特徴とする請求項４に記載の滑動コース。
【請求項６】  前記プール部は、前記カバーシート（５）から突出している横断リブ（２）によって境界づけられていることを特徴とする請求項１に記載の滑動コース。
【請求項７】  各プール部の底部には、少なくとも一つの水通過ボアがあることを特徴とする請求項１〜６のいずれか１項に記載の滑動コース。
【請求項８】  各プール部には、少なくとも一つの溢流部（６）があることを特徴とする請求項１〜３のいずれか１項に記載の滑動コース。
【請求項９】  前記リブ（２ｇ）に配置された、前記リブ（２）に平行なキャビティ（２８）、及び／又は、気密に閉鎖されかつ圧縮空気源に接続されたカバーシートがあることを特徴とする請求項２〜８のいずれか１項に記載の滑動コース。
【請求項１０】  前記滑動コースはコンベヤベルト上に取り付けられ、前記水源は、前記コンベヤベルトの底部に配置された深皿（４）であることを特徴とする請求項１〜９のいずれか１項に記載の滑動コース。
【請求項１１】  前記コンベヤベルト（６３）の傾斜角度は調節可能であることを特徴とする請求項１０に記載の滑動コース。
【請求項１２】  傾斜部の表面を覆うカバー要素を有し、表面を有する傾斜部において人及び物を滑降させるための請求項１〜１１のいずれか１項に記載の滑動コースを構成するためのカバー要素において、
前記カバー要素は、傾斜部された面に締結されかつ前記傾斜部の下部に配置されかつ両端における横断リブ部によって閉鎖されるリブ（２ｚ）で形成された、カバーシート（３０）の上側上にある深皿（３１）を有するカバーシート（３０）を備え、前記プール部の底部における少なくとも一つの水通過ボア（３１）と、少なくとも一つの溢流部（４３）とを有し、前記傾斜部の方向に沿った前記カバーシート（３０）の長さは、前記傾斜部の方向に計測した前記深皿（３１）の長さの２〜３倍であることを特徴とするカバー要素。
【手続補正書】
【提出日】平成19年6月13日(2007.6.13)
【手続補正１】
【補正対象書類名】明細書
【補正対象項目名】特許請求の範囲
【補正方法】変更
【補正の内容】
【特許請求の範囲】
【請求項１】  作用物質として塩酸キシロメタゾリン及び／又は塩酸オキシメタゾリン、経鼻投与のための医薬的に許容される溶媒、ソルビトール及び／又はグリセロールから選択されるアジュバント及び無機ｐＨ緩衝剤又は有機緩衝剤トロメタモールから選択される緩衝剤からなり、塩酸及び/又は水酸化ナトリウム溶液を含んでもよく、等張性を調節するために必要な物質を含んでもよく、医薬的に許容される量の微量作用金属又は微量作用金属イオンを含んでもよく、その他の有機添加剤を含まない、ｐＨが4.5〜7.5である安定な等張性溶液製剤。
【請求項２】  前記緩衝剤が無機緩衝剤である請求項１に記載の製剤。
【請求項３】  前記溶液が燐酸ナトリウム及び／又はカリウム緩衝剤又はホウ酸ナトリウム及び／又はカリウム緩衝剤を含む請求項２に記載の製剤。
【請求項４】  前記溶液が燐酸二水素ナトリウム-燐酸水素二ナトリウム緩衝剤及び／又は燐酸二水素カリウム-燐酸水素二カリウム緩衝剤を含む請求項３に記載の製剤。
【請求項５】  前記緩衝剤がトロメタモールである請求項１に記載の製剤。
【請求項６】  前記溶液が5.0から7.2のｐＨに調整される請求項１から５のいずれか一項に記載の製剤。
【請求項７】  前記溶液が5.5から6.8のｐＨに調整される請求項１から４のいずれか一項に記載の製剤。
【請求項８】  前記溶液が6.1から6.3のｐＨに調整される請求項５に記載の製剤。
【請求項９】  前記作用物質が0.01から1.0重量％の範囲の濃度で存在する請求項１から８のいずれか一項に記載の製剤。
【請求項１０】  前記溶媒が水である請求項１から９のいずれか一項に記載の製剤。
【請求項１１】  前記溶媒がエタノールと水の混合物である請求項１から１０のいずれか一項に記載の製剤。
【請求項１２】  前記溶液中のアジュバントの割合が1から10重量％である請求項１から１１のいずれか一項に記載の製剤。
【請求項１３】  前記アジュバントが3.5から4.5重量％のソルビトールである請求の範囲第１２項に記載の製剤。
【請求項１４】  前記アジュバントが2.0から2.8重量％のグリセロールである請求項１２に記載の製剤。
【請求項１５】  前記製剤が微量作用金属又は微量作用金属イオンを含まない請求項１から１４のいずれか一項に記載の製剤。
【請求項１６】  前記製剤が微量作用金属又は微量作用金属イオンを含む請求項１から１４のいずれか一項に記載の製剤。
【請求項１７】  前記微量作用金属又は微量作用金属イオンが銀又は銀イオンである請求項１６に記載の製剤。
【請求項１８】  前記製剤が作用物質として塩酸キシロメタゾリンのみを含む請求項１から１７のいずれか一項に記載の製剤。
【請求項１９】  前記製剤が作用物質として塩酸オキシメタゾリンのみを含む請求項１から１７のいずれか一項に記載の製剤。
【請求項２０】  作用物質貯蔵器とスプレーヘッドとの間の領域内に銀含有成分を有する吸入器と一緒の、請求項１から１９のいずれか一項に記載の製剤の使用。
【請求項２１】  鼻科学の薬の調製のための、請求項１から１９のいずれか一項に記載の製剤の使用。
【手続補正書】
【提出日】平成19年6月21日(2007.6.21)
【手続補正１】
【補正対象書類名】明細書
【補正対象項目名】特許請求の範囲
【補正方法】変更
【補正の内容】
【特許請求の範囲】
【請求項１】  有効量の、式（Ｉ）：
【化１】
2003502367.tif 000001
［式中、Ｒ１はアリール、置換アリール、ヘテロアリール、Ｃ１−１０アルキル、シクロアルキル、アリールアルキル、ヘテロアリールアルキルおよびヘテロサイクリックアルキルからなる群より選択され；
Ｒ２はアリール、置換アリール、およびヘテロアリールからなる群より選択され；
Ｒ３はＨ、または低級アルキルであり；
ＹはＣＨ２、ＮＲ４、Ｏ、およびＳからなる群より選択され；
Ｒ４はＨ、低級アルキル、ＣＨＯ、およびＣＯＲ１からなる群より選択される］で示される化合物またはその医薬上許容される塩を含む、細菌感染を治療するための医薬組成物。
【請求項２】  式（Ｉ）の化合物が５−（２，６−ジクロロベンジルオキシ）−１−［（４−フェニル）フェニルスルホニル］インドール−２−カルボン酸である請求項１記載の医薬組成物。
【請求項３】  式（Ｉ）の化合物が５−（２，６−ジクロロベンジルオキシ）−１−［（４−フェノキシ）フェニルスルホニル］インドール−２−カルボン酸である請求項１記載の医薬組成物。
【手続補正書】
【提出日】平成19年6月8日(2007.6.8)
【手続補正１】
【補正対象書類名】明細書
【補正対象項目名】特許請求の範囲
【補正方法】変更
【補正の内容】
【特許請求の範囲】
【請求項１】移植拒否または肝硬変を有する患者の処置用薬剤の製造のための、Ｒａｓアンタゴニストの使用法であって、前記Ｒａｓアンタゴニストは下記の式、
【化１】
2003502365.tif 000001
上記式において、
Ｒ１はファルネシル、ゲラニルまたはゲラニル−ゲラニルを表し、
ＺはＣ−Ｒ６またはＮを表し、
Ｒ２はＨ、ＣＮ、ＣＯＯＲ７基、ＳＯ３Ｒ７基、ＣＯＮＲ７Ｒ８基、ＣＯＯＭ基、ＳＯ３Ｍ基またはＳＯ２ＮＲ７Ｒ８基であり、
Ｒ７及びＲ８はそれぞれ独立して水素、アルキルまたはアルケニルであり、Ｍはカチオンであり、
Ｒ３、Ｒ４、Ｒ５及びＲ６は、それぞれ独立して水素、カルボキシル、アルキル、アルケニル、アミノアルキル、ニトロアルキル、ニトロ、ハロ、アミノ、モノ−もしくはジ−アルキルアミノ、メルカプト、メルカプトアルキル、アキシドまたはチオシアナートであり、
ＸはＯ、Ｓ、ＳＯ、ＳＯ２、ＮＨまたはＳｅを表し、
ＺがＮであるときに前記式の化合物の第四アンモニウム塩及びＮ酸化物である、
で表されることを特徴とする方法。
【請求項２】移植拒否の処置用であることを特徴とする、請求項１に記載の方法。
【請求項３】薬剤が予防薬であることを特徴とする、請求項２に記載の方法。
【請求項４】Ｒａｓアンタゴニストがファルネシルチオサリチル酸（ＦＴＳ）であることを特徴とする、請求項１〜３のいずれかに記載の方法。
【請求項５】Ｒａｓアンタゴニストが２−クロロ−５−ファルネシルアミノ安息香酸（ＮＦＣＢ）であることを特徴とする、請求項１〜３のいずれかに記載の方法。
【請求項６】Ｒａｓアンタゴニストがファルネシルチオニコチン酸（ＦＴＮ）であることを特徴とする、請求項１〜３のいずれかに記載の方法。
【請求項７】Ｒａｓアンタゴニストが５−フルオロ−ＦＴＳであることを特徴とする、請求項１〜３のいずれかに記載の方法。
【請求項８】Ｒａｓアンタゴニストが５−クロロ−ＦＴＳであることを特徴とする、請求項１〜３のいずれかに記載の方法。
【請求項９】Ｒａｓアンタゴニストが４−フルオロ−ＦＴＳであることを特徴とする、請求項１〜３のいずれかに記載の方法。
【請求項１０】Ｒａｓアンタゴニストが４−クロロ−ＦＴＳであることを特徴とする、請求項１〜３のいずれかに記載の方法。
【請求項１１】ＲａｓアンタゴニストがＳ−ファルネシルメチルチオサリチル酸であることを特徴とする、請求項１〜３のいずれかに記載の方法。
【請求項１２】Ｒａｓアンタゴニストが下記の式、
【化２】
2003502365.tif 000002
上記式において、
Ｒ１はファルネシル、ゲラニルまたはゲラニル−ゲラニルを表し、
ＺはＣ−Ｒ６を表し、
Ｒ２はＨ、ＣＮ、ＣＯＯＲ７基、ＳＯ３Ｒ７基、ＣＯＮＲ７Ｒ８基、ＣＯＯＭ基、ＳＯ３Ｍ基またはＳＯ２ＮＲ７Ｒ８基であり、
Ｒ７及びＲ８はそれぞれ独立して水素、アルキルまたはアルケニルであり、Ｍはカチオンであり、
Ｒ３、Ｒ４、Ｒ５及びＲ６は、それぞれ独立して水素、カルボキシル、アルキル、アルケニル、アミノアルキル、ニトロアルキル、ニトロ、ハロ、アミノ、モノ−もしくはジ−アルキルアミノ、メルカプト、メルカプトアルキル、アキシドまたはチオシアナートであり、
ＸはＯ、Ｓ、ＳＯ、ＳＯ２、ＮＨまたはＳｅを表す、
で表されることを特徴とする、請求項１〜３のいずれかに記載の方法。
【請求項１３】Ｒａｓアンタゴニストが経口投与されるとこを特徴とする、請求項１〜１１のいずれかに記載の方法。
【請求項１４】Ｒａｓアンタゴニストがシクロデキストリンを含む製剤で投与されることを特徴とする、請求項１２に記載の方法。
【請求項１５】Ｒａｓアンタゴニストが非経口投与されることを特徴とする、請求項１〜３のいずれかに記載の方法。
【手続補正書】
【提出日】平成19年6月21日(2007.6.21)
【手続補正１】
【補正対象書類名】明細書
【補正対象項目名】特許請求の範囲
【補正方法】変更
【補正の内容】
【特許請求の範囲】
【請求項１】 下記配合剤すなわち
（ａ）１０ないし９８．９９９重量％の少なくとも１種類の二官能もしくはそれ以上の多官能のエチレン系不飽和モノマーと、
（ｂ）０ないし８８．９９９重量％の少なくとも１種類の一官能のエチレン系不飽和モノマーと、
（ｃ）０．０５ないし５重量％の促進剤と、
（ｄ）０．００１ないし５重量％のラジカル重合を開始させるレドックス開始剤系と、
（ｅ）０ないし８８．９９９重量％の、１種以上の充填剤、チキソトロープ剤、遅延剤およびその他の補助物質の少なくとも一つと、
（ｆ）１ないし３０重量％の可塑剤
とを含む重合性歯科用コンパウンドにおいて、前記レドックス開始剤系は（ｉ）バルビツル酸誘導体および／またはマロニルスルファミドと（ii）一官能もしくは多官能のカルボン酸ペルオキシエステルである有機過酸化物とを含み、前記配合剤（ａ）、（ｂ）および（ｃ）はベースペーストを構成し、前記配合剤（ｄ）は前記ベースペーストから空間的に分離された触媒ペーストを構成し、前記配合剤（ｅ）は前記ベースペーストおよび前記触媒ペーストのいずれかまたは両方に任意に存在し、および前記配合剤（ｆ）は前記ベースペーストおよび前記触媒ペーストのいずれかまたは両方に存在することを特徴とする重合性歯科用コンパウンド。
【請求項２】前記カルボン酸ペルオキシエステルがカルボン酸第三ブチル−ペルオキシエステルであることを特徴とする請求項１に記載の重合性歯科用コンパウンド。
【請求項３】前記カルボン酸ペルオキシエステルが、炭酸−ジイソプロピル−ペルオキシジエステル、ネオデカン酸−第三ブチル−ペルオキシエステル、ネオデカン酸−第三アミル−ペルオキシエステル、マレイン酸−第三ブチル−モノペルオキシエステル、安息香酸−第三ブチル−ペルオキシエステル、２−エチルヘキサン酸−第三ブチル−ペルオキシエステル、２−エチルへキサン酸−第三アミル−ペルオキシエステル、炭酸−モノイソプロピルエステル−モノ第三ブチル−ペルオキシエステル、炭酸−ジシクロヘキシル−ペルオキシエステル、炭酸−ジミリスチル−ペルオキシエステル、炭酸−ジセチル−ペルオキシエステル、炭酸−ジ（２−エチルヘキシル）−ペルオキシエステル、炭酸−第三ブチル−ペルオキシ−（２−エチルへキシル）エステル、３，５，５−トリメチルへキサン酸−第三ブチル−ペルオキシエステル、安息香酸−第三アミル−ペルオキシエステル、酢酸−第三ブチル−ペルオキシエステル、炭酸−ジ（４−第三ブチル−シクロヘキシル）−ペルオキシエステル、ネオデカン酸−クメン−ペルオキシエステル、ピバル酸−第三アミル−ペルオキシエステルおよびピバル酸−第三ブチル−ペルオキシエステルから成る群から選択されることを特徴とする請求項１に記載の重合性歯科用コンパウンド。
【請求項４】前記配合剤（ａ）が３０ないし８０重量％の濃度で含まれていることを特徴とする請求項１〜３のいずれか１項に記載の重合性歯科用コンパウンド。
【請求項５】前記配合剤（ｄ）が０．０１ないし３重量％の濃度で含まれていることを特徴とする請求項１〜４のいずれか１項に記載の重合性歯科用コンパウンド。
【請求項６】前記配合剤（ｅ）が１０ないし６８．９９重量％の濃度で含まれていることを特徴とする請求項１〜５のいずれか１項に記載の重合性歯科用コンパウンド。
【請求項７】歯科用充填材、残根築盛材、固定セメント、仮のクラウン・ブリッジ材、またはインレー、オンレー、ベニア、または型材料の調製のための歯科用材を調製するための、請求項１〜６のいずれか１項に記載の重合性歯科用コンパウンドの使用。
【手続補正書】
【提出日】平成19年6月19日(2007.6.19)
【手続補正１】
【補正対象書類名】明細書
【補正対象項目名】特許請求の範囲
【補正方法】変更
【補正の内容】
【特許請求の範囲】
【請求項１】  半透過性膜によりコーティングされたコア材料からなる経口剤形であって、コア材料は１または２種以上のアルカリ性添加物、１または２種以上の膨張剤および任意の医薬的に許容される賦形剤との混合物中オメプラゾール、そのアルカリ性塩、Ｓ−オメプラゾールおよびそのアルカリ性塩からなる群より選択される活性成分を含み、腸溶性コーティングされていない上記剤形。
【請求項２】  半透過性膜は分裂可能である請求項１記載の剤形。
【請求項３】  活性成分はオメプラゾールである請求項１記載の剤形。
【請求項４】  活性成分はＸ−線粉末回折により測定して７０％を越える結晶度を有するオメプラゾールマグネシウム塩である請求項１記載の剤形。
【請求項５】  活性成分はＳ−オメプラゾールのマグネシウム塩である請求項１記載の剤形。
【請求項６】  コア材料は活性成分、１または２種以上のアルカリ性添加物、１または２種以上の膨張剤および任意の医薬的に許容される賦形剤の懸濁液または溶液によって層化されたシュガー球体からなる請求項１記載の剤形。
【請求項７】  剤形は半透過性膜によりコーティングされたコア材料の個々のペレットからなる請求項１記載の剤形。
【請求項８】  コア材料はさらに、浸透圧剤の形態での成分からなる請求項１記載の剤形。
【請求項９】  アルカリ性添加物は２％w／w水溶液／分散液中においてｐＨ測定用電極で測定した場合、８.５以上のｐＨを与える化合物の群から選択される剤である請求項１記載の剤形。
【請求項１０】  アルカリ性添加物はリン酸水素二ナトリウム、リン酸三ナトリウム、アルギニンおよびタルクの群から選択される剤である請求項９記載の剤形。
【請求項１１】  アルカリ性添加物は、任意のシュガー球体の重量を除くコア材料の約５〜３５重量％の量で存在する請求項１記載の剤形。
【請求項１２】  アルカリ性添加物は、任意のシュガー球体の重量を除くコア材料の１５〜３５重量％の量で存在する請求項１記載の剤形。
【請求項１３】  膨張剤は、架橋ポリビニルピロリドン、架橋カルボキシメチルセルロースナトリウム、デンプングリコール酸ナトリウムおよび低置換ヒドロキシプロピルセルロース（Ｌ−ＨＰＣ）の群から選択される請求項１記載の剤形。
【請求項１４】  膨張剤は、任意のシュガー球体の重量を除くコア材料の約２０〜６０重量％の量で存在する請求項１記載の剤形。
【請求項１５】  膨張剤は、任意のシュガー球体の重量を除くコア材料の３０〜５０重量％の量で存在する請求項１記載の剤形。
【請求項１６】  半透過性膜は水不溶性ポリマーおよび修飾剤たとえばタルクまたは燻蒸シリカを含む請求項１記載の剤形。
【請求項１７】  水不溶性ポリマーはエチルセルロース、セルロースアセテート、ポリビニルアセテート、ならびにアンモニオメタクリレートコポリマーＡ型およびＢ型の群から選択される請求項１記載の剤形。
【請求項１８】  水不溶性ポリマーはコア材料の約３〜３０重量％の量で存在する請求項１記載の剤形。
【請求項１９】  半透過性膜は修飾剤および水不溶性ポリマーを９０：１０〜５０：５０の比で含む請求項１記載の剤形。
【請求項２０】  コア材料は、１または２種以上のアルカリ性添加物、１または２種以上の膨張剤および任意の医薬的に許容される賦形剤との混合物中オメプラゾール、そのアルカリ性塩、Ｓ−オメプラゾールおよびそのアルカリ性塩の群から選択される活性成分から形成されてなり、コア材料は半透過性膜でコーティングされ、腸溶性コーティングされていない請求項１記載の剤形の製造方法。
【請求項２１】  胃酸分泌の阻害を改善する医薬の製造における請求項１〜１９のいずれかに定義した経口投与用医薬剤形の使用。
【請求項２２】  胃酸分泌の阻害または過剰の酸分泌を伴う胃腸障害を改善するのに使用するための請求項１〜１９のいずれかに定義した経口投与用医薬剤形。
【手続補正書】
【提出日】平成19年6月15日(2007.6.15)
【手続補正１】
【補正対象書類名】明細書
【補正対象項目名】特許請求の範囲
【補正方法】変更
【補正の内容】
【特許請求の範囲】
【請求項１】  金属容器中に閉じ込められた薬用エアゾール製剤に溶解されている薬用２０−ケトステロイドの化学分解を低減させる方法であって、前記２０−ケトステロイドがフルニソリド以外でありかつＯＨ基を
(i)Ｃ−１７位、もしくは
(ii)Ｃ−２１位、または
(iii)Ｃ−１７位とＣ−２１位の両方
に有し、前記エアゾール製剤が水素含有噴射剤を含み、そして前記２０−ケトステロイドと前記容器に由来する金属酸化物との反応を低減させるように前記金属容器の内面に不活性物質のコーティングを設けるステップを含み、
前記２０−ケトステロイドがＣ−２１位にＯＨ基を有し、かつ前記容器に含まれる製剤が、塩素を含まずかつ共溶媒としてアルコールを含むヒドロフルオロアルカン噴射剤中の、ブデソニド又はブデソニドとイプラトロピウムブロミド、サルブタモールもしくはホルモテロールとの組み合わせである活性成分の溶液である場合、前記金属容器はアルミニウムもしくはスズプレート製の加圧用量計量吸入器ではなく、前記コーティングは吸入器の内面のすべてもしくは一部がステンレススチール又は陽極酸化アルミニウムからなるようにされておらず、又は不活性有機コーティングでライニングされている、方法。
【請求項２】  フルニソリド以外の２０−ケトステロイドを溶解して含有する薬用エアゾール製剤を容器に充填することによって化学的に安定なステロイド溶液エアゾール製品を作製する方法であって、前記２０−ケトステロイドがＯＨ基を
(i)Ｃ−１７位、もしくは
(ii)Ｃ−２１位、または
(iii)Ｃ−１７位とＣ−２１位の両方
に有し、前記エアゾール製剤が水素含有噴射剤を含み、前記容器がこの容器との反応に由来する２０−ケトステロイドの化学的分解を避けるように不活性非金属内面を有しており、
前記２０−ケトステロイドがＣ−２１位にＯＨ基を有し、かつ前記製剤が、塩素を含まずかつ共溶媒としてアルコールを含むヒドロフルオロアルカン噴射剤中の、ブデソニド又はブデソニドとイプラトロピウムブロミド、サルブタモールもしくはホルモテロールとの組み合わせである活性成分の溶液である場合、前記容器はアルミニウム、スズプレート、ガラスもしくはプラスチック製の加圧用量計量吸入器ではなく、この吸入器の内面のすべてもしくは一部が不活性有機コーティングでライニングされている、方法。
Ｃ−１７位もしくはＣ−２１位またはそれらの両方にＯＨ基を有し、該エアゾール製剤が水素含有噴射剤を含み、そして該容器が、該容器との相互作用による該２０−ケトステロイドの化学分解を回避するように、不活性な非金属の内面を有している、方法。
【請求項３】  前記容器が、不活性内部コーティングを有するアルミニウムから作製されている、請求項１に記載の方法。
【請求項４】  前記内部コーティングがエポキシ−フェノール系ラッカーである、請求項３に記載の方法。
【請求項５】  前記水素含有噴射剤が、１，１，１，２−テトラフルオロエタン、１，１，１，２，３，３，３−ヘプタフルオロプロパン、およびそれらの混合物からなる群より選択される、請求項１又は２に記載の方法。
【請求項６】  前記薬用エアゾール製剤がエタノールを含む、請求項１又は２に記載の方法。
【請求項７】  前記２０−ケトステロイドがＯＨ基をＣ−１７位には有しているがＣ２１位には有していない、請求項１又は２に記載の方法。
【請求項８】  前記２０−ケトステロイドがＯＨ基をＣ２１位には有しているがＣ−１７位には有していない、請求項１又は２に記載の方法。
【請求項９】  前記２０−ケトステロイドがＯＨ基をＣ−１７位とＣ２１位の両方に有している、請求項１又は２に記載の方法。
【請求項１０】  前記２０−ケトステロイドが、ブデソニド、トリアムシノロンアセトニド、デソニド、フルオシノロンアセトニド、アルクロメタゾン、ベクロメタゾン、ベクロメタゾン１７−モノプロピオネート、ベタメタゾン、ベタメタゾン１７−バレレート、クロコルトロン、デソキシメタゾン、デキサメタゾン、デキサメタゾンナトリウムホスフェート、デキサメタゾン２１−イソニコチネート、ジフロラゾン、フルメタゾン、メチルプレドニゾロン、パラメタゾン、プレドニゾロン、トリアムシノロン、クロベタゾール、およびフルオロメトロンからなる群より選択されたコルチコステロイドである、請求項１又は２に記載の方法。
【手続補正書】
【提出日】平成19年6月4日(2007.6.4)
【手続補正１】
【補正対象書類名】明細書
【補正対象項目名】００３６
【補正方法】変更
【補正の内容】
【００３６】
図３に、ヒドロキシプロピルメチルセルロース（ＯｐａｄｒｙＯＹ２９０２０、例１と類似）の１重量％サブコート及び１３重量％Surelease 7-7050コートでコーティングされたジクロフェナク徐放性ペレットからのジクロフェナクの放出を示す。
【手続補正２】
【補正対象書類名】明細書
【補正対象項目名】００３７
【補正方法】変更
【補正の内容】
【００３７】
図１と図３の比較は、本発明の経口投与ユニットから放出されたトラマドール及びジクロフェナクの放出量及び放出プロフィールがトラマドール単独又はジクロフェナク単独でそれぞれを含有する形態からの放出量及び放出プロフィールに相当することを示す。
【手続補正書】
【提出日】平成19年6月4日(2007.6.4)
【手続補正１】
【補正対象書類名】明細書
【補正対象項目名】特許請求の範囲
【補正方法】変更
【補正の内容】
【特許請求の範囲】
【請求項１】  微粒化された有機ＵＶフィルター剤からなる混合物の、ヒトおよび動物の皮膚および毛髪をＵＶ光の有害作用から保護するための使用。
【請求項２】  有機ＵＶフィルター剤が、トリアジン−またはベンゾトリアゾール誘導体、ビニル基含有アミド類、ケイ皮酸誘導体、スルホン化ベンゾイミダゾール類、フィッシャー塩基誘導体、ジフェニルマロン酸ジニトリル類、オキサリルアミド類、ショウノウ誘導体、ジフェニルアクリラート類、ｐ−アミノ安息香酸（ＰＡＢＡ）およびその誘導体、サリチル酸エステル類およびベンゾフェノン類から選ばれることを特徴とする、請求項１記載の使用。
【請求項３】  有機ＵＶフィルター剤が、式：
【化５】
2003502354.tif 000001
（式中、
Ｒ7およびＲ8は、互いに独立に、Ｃ1〜Ｃ18アルキル、Ｃ2〜Ｃ18アルケニル、式：−ＣＨ2−ＣＨ（−ＯＨ）−ＣＨ2−Ｏ−Ｔ1の残基、または
Ｒ7およびＲ8は、式：
【化６】
2003502354.tif 000002
の残基であり；
Ｒ9は、直接結合、直鎖状もしくは分枝状のＣ1〜Ｃ4アルキレン残基、または式：
−Ｃm1Ｈ2m1−Ｏ−の残基であり；
Ｒ10、Ｒ11およびＲ12は、互いに独立に、Ｃ1〜Ｃ18アルキル、Ｃ1〜Ｃ18アルコキシ、または式：
【化７】
2003502354.tif 000003
の残基であり；
Ｒ13は、Ｃ1〜Ｃ5アルキル；
ｍ1は、１〜４；
ｐ1は、０〜５；
Ａ1は、式：
【化８】
2003502354.tif 000004
または式：
【化９】
2003502354.tif 000005
の残基であり；
Ｒ14は、水素、Ｃ1〜Ｃ10アルキル、−（ＣＨ2ＣＨＲ16−Ｏ）ｎ1−Ｒ15、または式：−ＣＨ2−ＣＨ（−ＯＨ）−ＣＨ2−Ｏ−Ｔ1の残基；
Ｒ15は、水素、Ｍ、Ｃ1〜Ｃ5アルキル、または式：−（ＣＨ2）m2−Ｏ−（ＣＨ2）m3−Ｔ1の残基；
Ｒ16は、水素またはメチル；
Ｔ1は、水素またはＣ1〜Ｃ8アルキル；
Ｑ1は、Ｃ1〜Ｃ18アルキル；
Ｍは、金属カチオン；
ｍ2およびｍ3は、互いに独立に、１〜４；そして
ｎ1は、１〜１６
を意味する）
のトリアジン誘導体から選ばれることを特徴とする、請求項１または２記載の使用。
【請求項４】  有機ＵＶフィルター剤が、式：
【化１７】
2003502354.tif 000006
（式中、
Ｒ27、Ｒ28およびＲ29は、互いに独立に、式：
【化１８】
2003502354.tif 000007
の残基；
Ｒ30は、水素、アルカリ金属、またはアンモニウム基−Ｎ（Ｒ33）4；
Ｒ33は、水素、Ｃ1〜Ｃ5アルキル、またはポリオキシエチレン残基であって、エチレンオキシド単位１〜１０個を有し、そして末端ＯＨ基が、Ｃ1〜Ｃ5アルコールでエーテル化されていてよいもの；
Ｒ31は、水素、−ＯＨ、またはＣ1〜Ｃ6アルコキシ；
Ｒ32は、水素または−ＣＯＯＲ30；そして
ｎは、０または１
を意味する）
のトリアジン誘導体から選ばれることを特徴とする、請求項１または２記載の使用。
【請求項５】  有機ＵＶフィルター剤が、式：
【化１９】
2003502354.tif 000008
（式中、
Ｔ1は、Ｃ1〜Ｃ5アルキルまたは水素；そして
Ｔ2は、Ｃ1〜Ｃ5アルキルまたはフェニル置換Ｃ1〜Ｃ5アルキル
を意味する）
のベンゾトリアゾール誘導体から選ばれることを特徴とする、請求項１または２記載の使用。
【請求項６】  有機ＵＶフィルター剤が、式：
【化２０】
2003502354.tif 000009
（式中、
Ｔ2は、Ｃ1〜Ｃ4アルキルまたはフェニル置換Ｃ1〜Ｃ5アルキル
を意味する）
のベンゾトリアゾール誘導体から選ばれることを特徴とする、請求項１または２記載の使用。
【請求項７】  医薬品または化粧品作用物質を追加的に混合することを特徴とする、請求項１〜６のいずれか１項記載の使用。
【請求項８】  請求項１〜６のいずれか１項記載の有機ＵＶフィルター剤の少なくとも２種類、そして場合により１種類以上の酸化防止剤および／または無機顔料および／またはカチオン性もしくはアニオン性化合物、ならびに化粧品に許容される担体−または補助物質からなる混合物を含有する、化粧品処方物。
【手続補正書】
【提出日】平成19年6月15日(2007.6.15)
【手続補正１】
【補正対象書類名】明細書
【補正対象項目名】特許請求の範囲
【補正方法】変更
【補正の内容】
【特許請求の範囲】
【請求項１】  患者の傷の治療のための薬剤の製造へのコレステロール含有陽イオンリポソームの使用であって、前記リポソームの量が患者のハイパーメタボリック反応を減少させるのに効果的な量であることを特徴とするコレステロール含有陽イオンリポソームの使用。
【請求項２】  傷が熱外傷、化学的外傷、切除外傷、手術外傷、及び、すり傷で構成される群から選択される請求項１記載の使用。
【請求項３】  コレステロール含有陽イオンリポソームが成長促進剤をコードする遺伝子を少なくとも１つ含んでいる請求項１記載の使用。
【請求項４】  成長促進剤が成長ホルモン、インシュリン様成長因子−Ｉ、表皮ケラチン細胞成長因子、繊維芽細胞成長因子、上皮成長因子、血小板由来成長因子、及び形質転換成長因子−βで構成される群から選択される請求項３記載の使用。
【請求項５】  成長促進剤がインシュリン様成長因子（ＩＧＦ−Ｉ）である請求項４記載の使用。
【請求項６】  リポソーム中のＩＧＦ−Ｉをコードする遺伝子の濃度が約２．２μｇ／ｍｌリポソームである請求項５記載の使用。
【請求項７】  薬剤が傷への注入のためのものである請求項１記載の使用。
【請求項８】  薬剤が傷被覆材料に含まれる請求項１記載の使用。
【請求項９】  傷被覆材料がヒト胎児羊膜、ヒト胎児絨毛膜、ヒトの同種同系皮膚、およびヒトの同種異系皮膚で構成される群から選択される請求項８記載の使用。
【請求項１０】  傷被覆材料、及び、成長促進剤をコードする遺伝子の少なくとも１つを含むコレステロール含有陽イオンリポソームを含む促進傷手当用品。
【請求項１１】  傷被覆材料がヒト胎児羊膜、ヒト胎児絨毛膜、ヒトの死体の皮膚、及び、合成皮膚で構成される群から選択される請求項１０記載の促進傷手当用品。
【請求項１２】  リポソームがコレステロール含有陽イオンリポソームである請求項１０記載の促進傷手当用品。
【請求項１３】  成長促進剤が成長ホルモン、インシュリン様成長因子−Ｉ、表皮ケラチン細胞成長因子、繊維芽細胞成長因子、上皮成長因子、血小板由来成長因子及び形質転換成長因子−βで構成される群から選択される請求項１０記載の促進傷手当用品。
【請求項１４】  成長促進剤がインシュリン様成長因子（ＩＧＦ−Ｉ）であり、そして、リポソーム中のＩＧＦ−Ｉをコードする遺伝子の濃度が約２．２μｇ／ｍｌリポソームである請求項１３記載の促進傷手当用品。
【請求項１５】  コレステロール含有陽イオンリポソーム、及び、薬理的に受容できる担体を含む傷癒合促進用組成物。
【請求項１６】  傷が熱外傷、化学的外傷、切除外傷、手術外傷、及びすり傷で構成される群から選択される請求項１５記載の組成物。
【請求項１７】  リポソームが成長促進剤をコードする遺伝子の少なくとも１つを含む請求項１５記載の組成物。
【請求項１８】  成長促進剤が成長ホルモン、インシュリン様成長因子−Ｉ、表皮ケラチン細胞成長因子、繊維芽細胞成長因子、上皮成長因子、血小板由来成長因子及び形質転換成長因子−βで構成される群から選択される請求項１７記載の組成物。
【請求項１９】 成長促進剤がインシュリン様成長因子（ＩＧＦ−Ｉ）であり、そして、リポソーム中のＩＧＦ−Ｉをコードする遺伝子の濃度が、約２．２μｇ／ｍｌリポソームである請求項１８記載の組成物。
【請求項２０】  注射器内に充填できるようにパッケージ化された請求項１５記載の組成物。
【請求項２１】  注射器内に入れられた請求項１５記載の組成物。
【手続補正書】
【提出日】平成19年6月15日(2007.6.15)
【手続補正１】
【補正対象書類名】明細書
【補正対象項目名】特許請求の範囲
【補正方法】変更
【補正の内容】
【特許請求の範囲】
【請求項１】  １８〜４０個のアミノ酸を有する単離されたペプチドであって、配列番号１に示す配列を含み、レトロ−インベルソなペプチドである、前記ペプチド。
【請求項２】  前記配列内の少くとも１つの塩基性荷電アミノ酸が、異なる塩基性荷電アミノ酸により置換されている、請求項１のペプチド。
【請求項３】  前記配列内の少くとも１つの酸性荷電アミノ酸が、異なる酸性荷電アミノ酸により置換されている、請求項１又は２のペプチド。
【請求項４】  前記配列内の少くとも１つの非極性アミノ酸が、異なる非極性アミノ酸により置換されている、請求項１〜３のいずれかのペプチド。
【請求項５】  前記配列内の少くとも１つの非荷電アミノ酸が、異なる非荷電アミノ酸により置換されている、請求項１〜４のいずれかのペプチド。
【請求項６】  前記配列内の少くとも１つの芳香族アミノ酸が、異なる芳香族アミノ酸により置換されている、請求項１〜５のいずれかのペプチド。
【請求項７】  前記ペプチドが、そのアミノ末端で、カルボキシ末端で、又はアミノ末端及びカルボキシ末端の両方で、ＣＨ3 ＣＯ，ＣＨ3 （ＣＨ2 ）n ＣＯ，Ｃ6 Ｈ5 ＣＨ2 ＣＯ及びＨ2 Ｎ（ＣＨ2 ）n ＣＯ、ただしｎ＝１〜１０、から成る群から独立に選択された部分により修飾されている、請求項１〜６のいずれかのペプチド。
【請求項８】  前記ペプチドがグリコシル化されている、請求項１〜７のいずれかのペプチド。
【請求項９】  前記ペプチド内の１又は複数のアミド結合が還元されている、請求項１〜８のいずれかのペプチド。
【請求項１０】  前記ペプチド内の１又は複数の窒素がメチル化されている、請求項１〜９のいずれかのペプチド。
【請求項１１】  前記ペプチド内の１又は複数のカルボン酸基がエステル化されている、請求項１〜１０のいずれかのペプチド。
【請求項１２】  前記ペプチドが、配列番号１に示すアミノ酸配列から成る、請求項１〜１１のいずれかのペプチド。
【請求項１３】  １８〜４０個のアミノ酸を有し、かつ配列番号１に示す配列を含んでいるレトロ−インベルソなペプチド、及び医薬上容認される担体を含んでなる組成物。
【請求項１４】  神経突起の成長又はミエリン形成を促進することが必要な哺乳動物（ヒトを除く）において、神経突起の成長又はミエリン形成を促進するための方法であって、神経突起の成長又はミエリン形成を促進するために有効な量の、１８〜４０個のアミノ酸を有し、かつ配列番号１に示す配列を含んでいるレトロ−インベルソなペプチドを含んでなる組成物を前記哺乳動物（ヒトを除く）に投与する過程を含んでなる、前記方法。
【請求項１５】  前記ペプチドが、配列番号１に示すアミノ酸配列から成る、請求項１４の方法。
【請求項１６】  前記の投与過程が、直接的な局所注射、全身性、頭蓋内、脳脊髄内、局所及び経口投与からなる群から選択される、請求項１４〜１５のいずれかの方法。
【請求項１７】  その必要のある哺乳動物において神経突起の成長又はミエリン形成を促進する際に用いるための、１８〜４０個のアミノ酸を有し、かつ配列番号１に示す配列を含んでいるレトロ−インベルソなペプチド。
【請求項１８】  前記ペプチドが、配列番号１に示すアミノ酸配列から成る、請求項１７のペプチド。
【請求項１９】  前記哺乳動物が人間である、請求項１７又は１８のペプチド。
【請求項２０】  その必要のある哺乳動物において神経突起の成長又はミエリン形成を促進するための薬物を調製することにおける、１８〜４０個のアミノ酸を有し、かつ配列番号１に示す配列を含んでいるレトロ−インベルソなペプチドの使用。
【請求項２１】  前記ペプチドが、配列番号１に示すアミノ酸配列から成る、請求項２０の使用。
【請求項２２】  前記哺乳動物が人間である、請求項２０又は２１の使用。
【手続補正書】
【提出日】平成19年6月5日(2007.6.5)
【手続補正１】
【補正対象書類名】明細書
【補正対象項目名】請求項２
【補正方法】変更
【補正の内容】
【請求項２】  −Ａは次の -Ｃ≡Ｃ-、-ＣＨ＝ＣＨ-、 -ＣＨ2−ＣＨ2- から選ばれる基を表し：
−ｎは１または２に等しく；
−Ｘは水素、塩素もしくはフッ素原子またはメチルもしくはメトキシ基を表し；
−Ｙは水素原子または塩素もしくはフッ素原子を表し；
−Ｒ1は、メチル基によりモノ置換、ジ置換、トリ置換もしくはテトラ置換されたシクロヘキシル基；フッ素もしくは塩素原子またはメトキシ基によりモノ置換もしくはジ置換されたフェニル基；シクロヘプチル、ｔ−ブチル、ジシクロプロピルメチル、ビシクロ［3.2.1］オクタニル、４−テトラヒドロピラニル、４−テトラヒドロチオピラニルまたは１−もしくは２−アダマンチル基を表すか；あるいはＲ1はフェニル基を表し、この場合ＸおよびＹは水素以外であると理解され；
−  Ｒ2はトリフルオロメチル基で任意に置換されてもよい（Ｃ1−Ｃ4）アルキル基を表し；
−  Ｒ3は（Ｃ5−Ｃ7）シクロアルキルを表す、
請求項１の化合物、およびこれらの化合物の医薬として許容される酸との付加塩、ならびにそれらの溶媒和物および水和物。
【手続補正２】
【補正対象書類名】明細書
【補正対象項目名】００１５
【補正方法】変更
【補正の内容】
【００１５】
上記の方法の工程１ｂにおいて、ＺがＯＴｆを表す化合物(Ｉａ)と式Ｒ1-Ｂ(ＯＨ)2のホウ素誘導体(２)との間で、好ましくは鈴木カップリングを行う。反応は、アルカリ金属またはアルカリ土類金属の水酸化物、アルコキサイド、リン酸塩または炭酸塩、より具体的にはリン酸カリウムまたは炭酸ナトリウムのような塩基の存在下に反応が行なわれる。この反応は、金属触媒、例えば銅、錫、または好ましくは、任意に助触媒として作用する塩化リチウムのような塩化物と共に、テトラキス(トリフェニルホスフィン)パラジウムのようなパラジウム触媒の存在下に行われる。この方法は、加熱下に、６０℃〜８０℃の間の温度で、トルエンもしくは1,2-ジメトキシエタンのような不活性溶媒中で、または好ましくは、任意にエタノールのような少しばかりのアルコールとのトルエン／水性溶液二層媒体中で行われる。
【手続補正３】
【補正対象書類名】明細書
【補正対象項目名】００３４
【補正方法】変更
【補正の内容】
【００３４】
Ｔ細胞増殖の測定：  Balb/Cマウスの脾臓を用いて細胞懸濁液を調製する。滅菌蒸留水を用いて行う短い低張性ショックの過程で、赤血球細胞をまず溶血させる。残った細胞(白血球細胞)を、前もってpH 6.6に調整した培地(熱不活化仔牛胎児の血清2％、L-グルタミン 2 mM、ピルビン酸ナトリウム 1 mM、ペニシリン100 UI/ml、ストレプトマイシン100 μg/mlおよびPIPES 15 mMを含有するRPMI 1640)で2回洗浄する。トリファンブルー技術を用いて決定した細胞の生存力は、この調製方法によると常に95％を超える。
脾臓細胞を、6 ×106 cells/mlの濃度で、試験物質と共に、96穴の平底プレート(Falcon, Becton Dickinson, Lincoln Park, NJ)中、SEB 2 μg/mlの存在下に培養する。4穴を各濃度の試験物質用に準備する。細胞培養器 (雰囲気: 空気95％ + CO2 5％)中、37℃で4日間培養を行う。次いで、チミジンのトリチウム標識体 2 μCi (Amersham, Les Ullis, France)を各培養穴に加える。4時間後、スカトロン(Pharmacia LKB, Piscataway, NJ)を用いて、ガラス繊維フィルター(Filtermat A, Wallac, Turku, Finland)上に、細胞を回収する。取り込まれ、フィルターに結合した放射活性を、適当な液体シンチレーションカウンター(Betaplate, Pharmacia LKB)中で測定する。
【手続補正４】
【補正対象書類名】明細書
【補正対象項目名】００５８
【補正方法】変更
【補正の内容】
【００５８】
製造例  ５
1-[4-(3,3,5,5-テトラメチルシクロヘキシル)フェニル]エタノン、化合物Ｖ.１
【化３９】
2003502306.tif 000001
クロロトリメチルシラン38.1mlを1-[4-(ヒドロキシ-3,3,5,5-テトラメチルシクロヘキシル)フェニル]エタノン(化合物V'.1) 40.45gおよび沃化ナトリウム56.21 gの無水アセトニトリル(230ml)混液に45分以上かけて加える。滴下の間、温度を35℃〜40℃の間に維持する。2時間撹拌した後、アセトニトリル40 mlおよび酢酸39.4 mlを加える。次に、亜鉛微粉末29.4 gを、撹拌下に室温で、少しずつ加える。この混合物を、激しい撹拌の下4時間還流する。室温まで冷却後、反応物をセライトろ過し、次いで炭酸水素ナトリウムの飽和水溶液で洗浄する。有機相を減圧下に濃縮し、得られる油状物をシリカゲル上、95/5 (v/v) のシクロヘキサン／酢酸エチル混液で溶出するカラムクロマトグラフィーで精製する; 収率= 68%; m.p.= 54℃。
【手続補正５】
【補正対象書類名】明細書
【補正対象項目名】００６２
【補正方法】変更
【補正の内容】
【００６２】
製造例  ７
1-[4-(4,4-ジメチルシクロヘキシル)フェニル]エタノン、化合物Ｖ.４
ａ） 1-(1,1-ジメトキシエチル)-4-(4,4-ジメチルシクロヘキ-1-セニル)ベンゼン
パラトルエンスルホン酸(PTSA) 0.5 gおよびトリメチルオルトホルメート13 mlの存在下に、メタノール(250 ml)中の1-[4-(4,4-ジメチルシクロヘキ-1-セニル)フェニル]エタノン(化合物ＶＩ.１) 36.13 gを、室温で12時間撹拌する。溶媒を、減圧下に部分的に留去する。水酸化カリウムの50％メタノール溶液を加えた後、溶媒を減圧下に留去する。得られる残渣をジイソプロピルエーテル中に移し、溶媒を減圧下に留去する。
ｂ） ａ）で得た化合物をメタノール250 ml中、5％パラジウム−炭素3 gの存在下に、水素化する。反応混合物をろ過し、溶媒を減圧下に留去し、得られる残渣をジクロロメタン中に移す。反応混合物を、シリカの存在下に12時間撹拌し、ろ過し、溶媒を減圧下に留去し、得られる残渣をシリカゲル上、99/1 (v/v) のシクロヘキサン／酢酸エチル混液で溶出するカラムクロマトグラフィーで精製する； m.p.= 60℃。